Podtech/llm-jp-corpus-v4-ja_patent huggingface dataset:
(57)【要約】【課題】  従来の針押し引き抜き具の、次のような問題点を解決することを課題とする。（１）縫い針を押す部分と引き抜く部分が、針押し引き抜き具の前と後ろにそれぞれ反対方向に向けて設けられているため、使用する時、持ちかえなければならなかった。（２）縫い針を使用した後、又は使用中に縫い針を床に落としたり、布地にまぎれることがある。【解決手段】  板体部（１）に２本のほぼ平行な第１柱状突起部（２）と第２柱状突起部（３）を設けた形状を有する、手の平に握れる程度の大きさの針押し引き抜き具であって、前記第１柱状突起部（２）の先端部と、前記板体部（１）の側面とに、それぞれ針の頭を挿入する第１針穴（４）と少なくとも２個の第２針穴（５）（６）を設け、前記第２柱状突起部（３）は、筒状ゴム棒（７）で形成し、前記板体部（１）に、針を付着させる磁石（１０）を埋没したことをたことを特徴とする針押し引き抜き具。【選択図】図１
2010069262.tif 000002
【特許請求の範囲】
【請求項１】
板体部に２本のほぼ平行な第１柱状突起部と第２柱状突起部を設けた形状を有する、手の平に握れる程度の大きさの針押し引き抜き具であって、前記第１柱状突起部の先端部と、前記板体部の側面とに、それぞれ針の頭を挿入する第１針穴と少なくとも２個の第２針穴を設け、前記第２柱状突起部は、筒状ゴム棒で形成したことを特徴とする針押し引き抜き具。
【請求項２】
前記板体部に、針を付着させる磁石を埋没したことを特徴とする請求項１記載の針押し引き抜き具。
【発明の詳細な説明】
【技術分野】
【０００１】  本発明は、厚手の布や、縫い目の重なった部分に縫い針が通らない時に縫い針を押したり引いたりするのに使用する針押し引き抜き具に関するものである。
【背景の技術】
【０００２】  従来の針押し引き抜き具としては、実用新案登録第３１３０９６２号公報に開示されている。このゴム付針押し具は、図２に示すように縫い針を押す部分（１２）と引き抜く部分（１３）がそれぞれ反対方向に向けて設けてある。
【発明の開示】
【発明が解決しようとする課題】
【０００３】    しかし、従来の針押し引き抜き具には、次のような問題点があった。
（１）縫い針を押す部分と引き抜く部分が、針押し引き抜き具の前と後ろにそれぞれ反対方向に向けて設けられている為、使用する時、持ちかえなければならなかった。
（２）縫い針を使用した後、又は使用中に縫い針を床に落としたり、布地にまぎれることがある。
【課題を解決するための手段】
【０００４】  本発明に係る針押し引き抜き具は、このような問題点を解決するためになされたもので、板体部に２本のほぼ平行な第１柱状突起部と第２柱状突起部を設けた形状を有する、手の平に握れる程度の大きさの針押し引き抜き具であって、前記第１柱状突起部の先端部と、前記板体部の側面とに、それぞれ針の頭を挿入する第１針穴と少なくとも２個の第２針穴を設け、前記第２柱状突起部は、筒状ゴム棒で形成したことを特徴とするものである。
【発明の効果】
【０００５】  縫い針を押す時、引き抜く時針押し引き抜き具を持ちかえる必要がなく、又磁石を設けたことにより縫い針を付着させることが出来き、側面の針押穴を設けたことで運針することが出来る。
【発明を実施するための最良の形態】
【０００６】  以下、本発明を実施するための最良の形態を実施例によって説明する。
実施例の針押し引き抜き具は、図１に示すように、板体部（１）に２本のほぼ平行な第１柱状突起部（２）と第２柱状突起部（３）を設けた形状になっている。大きさは、手の平に握れる程度である。
前記第１柱状突起部（２）の先端部には第１針穴（４）、板体部（１）の側面には２個の第２針穴（５）、（６）が設けられている。第２柱状突起部（３）は、筒状ゴム棒（７）で形成されている。このような構成になっているので、次の要領で使用する。
第１針穴（４）に縫い針の頭を挿入して第１柱状突起部（２）の根元（８）を指でおさえ、板体部（１）を手で握り、板体部（１）後部（９）を手のひらに当て、しずかに針を押すとスムーズに針を通すことが出来る。筒状ゴム棒（７）に針先をいれて針を引っぱると、針を引き抜く事が出来る。
（１０）は板体部（１）に埋没した磁石である。この磁石（１０）は、布の中にまぎれこんだり、床に落ちている針を付着させて拾い上げるために使用する。
第２針穴（５）又は、（６）に針頭を挿入し、板体部（１）を手で握り針を押し進めると運針することが出来る
【図面の簡単な説明】
【０００７】
【図１】実施例の針押し引き抜き具の斜視図
【図２】従来例斜視図
【符号の説明】
【０００８】  １  板体部
２  第１柱状突起部
３  第２柱状突起部
４  第１針穴
５  第２針穴
６  第２針穴
７  筒状ゴム棒
８  根元
９  後部
１０  磁石
【図１】
2010069262.tif 000003
【図２】
2010069262.tif 000004
(57)【要約】【課題】  立位排尿に対応した尿受け用の衝立を設けた立位排尿と着座排便及び排尿の兼用便器の便座を提供する。【解決手段】  着座排便及び排尿の際使用する便座は回転する軸によりつながれた背もたれを有し、背もたれの側端部が回転する軸により便器の衝立部分に取り付く。立位排尿の際は軸の回転により便器の横側に移動し収納される。以上を特徴とする背もたれ付き便座である。【選択図】図１
2010069266.tif 000002
【特許請求の範囲】
【請求項１】
背もたれを付けた便座
【請求項２】
背もたれの下端部と回転軸によりつながれ可動する請求項１の便座
【請求項３】
背もたれの側端部が回転軸により便器とつながれ可動する請求項１の便座
【発明の詳細な説明】
【技術分野】
【０００１】  本発明は立位排尿に対応した尿受け用の衝立を設けた立位排尿と着座排便及び排尿の兼用便器に付く便座に関するものである。
【背景技術】
【０００２】  意匠登録された取付け用便器（登録第１２６８０４７号）がある。
【発明の開示】
【発明が解決しようとする課題】
【０００３】  従来の立位排尿と着座排便及び排尿の兼用便器は立位排尿において水平面の範囲に対して尿を落とし込む必要があり、身体の状態によってはその行為が困難であることがある。また子供は難しいようで、便器の周辺を汚してしまうことがある。
【課題を解決するための手段】
【０００４】  本書０００２項の取付け用便器は立位排尿における尿の飛散を抑えるための衝立を設け、なるべく衝立に近づいて立てるよう衝立に向かって後方部分の幅を狭めた形状としており、課題を解決するために適切な形状の便器である。これに次の背もたれ付き便座を取り付けることで使用における便器の形態が確立するものである。着座排便及び排尿の際使用する便座は回転する軸によりつながれた背もたれを有し、背もたれの側端部が回転する軸により便器の衝立部分に取り付く。立位排尿の際は軸の回転により便器の横側に移動し収納される。以上を特徴とする背もたれ付き便座である。
【発明の効果】
【０００５】  立位排尿における尿の飛散を抑えることができ、便器周辺を清潔に保つことができる。
【発明を実施するための最良の形態】
【０００６】  以下、本発明の実施の形態について説明する。
便座（２）は回転軸（５）により背もたれ（３）に取り付く。背もたれ（３）は回転軸（４）により便器（１）に取り付く。
本発明は以上のような構成で、便座に着座する排便、排尿の際は図１、図２、図３で示す便座（２）の位置で使用する。また立位排尿の際は回転軸（５）が回転することにより図４で示す位置に便座（２）を移動し、更に回転軸（４）が回転することにより図５で示す位置に便座（２）を移動して使用する。
【図面の簡単な説明】
【０００７】
【図１】本発明の平面図である。
【図２】本発明の側面図である。
【図３】本発明の正面図である。
【図４】本発明の側面図である。
【図５】本発明の平面図である。
【符号の説明】
【０００８】１      便器
２      便座
３      背もたれ
４      回転軸
５      回転軸
【図１】
2010069266.tif 000003
【図２】
2010069266.tif 000004
【図３】
2010069266.tif 000005
【図４】
2010069266.tif 000006
【図５】
2010069266.tif 000007
(57)【要約】      （修正有）【課題】安価で衛生的且つ容易に座薬を挿入できる座薬挿入具の提供。【解決手段】座薬４を、抱嵌支承する穿孔２を設けた挿入本体具１からなり、できれば一般に市販されている個別密封包装例の座薬４の形態に対応するように、軟質又は硬軟質組み合わせの樹脂、ゴム、スポンジ等で成る構成の挿入本体具１の穿孔２に、連通された長孔２ａにより押し込み棒３で上記座薬４の下方から肛門５内に挿入する構成の座薬挿入具。【選択図】図３
2010069263.tif 000002
【特許請求の範囲】
【請求項１】
座薬を抱嵌支承する穿孔を設けた、軟質又は軟、硬質組み合わせの樹脂、ゴム、スポンジ等からなる構成の座薬挿入本体からなり、該挿入本体の中心部長手方向に、押し込み棒を挿入通行させるための長孔を上記穿孔に連通して設けたことを特徴とする座薬挿入具。
【発明の詳細な説明】
【技術分野】
【０００１】  本発明は、例えば腰痛や腹痛及び熱冷ましなどに用いる座薬を肛門に挿入するための座薬挿入本体部具に関し、特に、安価で衛生的且つ容易に座薬を挿入することができるようにしたものである。
【背景技術】
【０００２】  従来、一般的に市販座薬は、頭部径大で下部小径の砲弾型に形成されており、薄アルミシートなどからなる密封袋内に封入されており、使用時には、指部で該密封袋を破断して座薬を取り出して、それを指部で肛門内に挿入するものである。【０００３】
【特許文献】  特願２００４ー０６３３４４
【特許文献】  特願２００５ー２６１１５７
【特許文献】  特願２００７ー１５１０６
【実案文献】
実願２００５ー３８８４４
【発明の開示】
【発明が解決しようとする課題】
【０００４】  上記のような先願文献資料の構成は、その、すべての構成が複雑で取り扱いが困難であり、挿入後の後始末にも手間がかかるためなのか、これらの文献に基づく挿入具が一般市場及び病医院、薬局等においても実施皆無の実状であるといえる。【０００５】  本発明は、上記様従来の欠点に鑑み、安価で衛生的且つ容易に座薬を挿入することができるようにした座薬挿入本体部具と同押し込み棒の提供を目的にしたものである。
【課題を解決するための手段】
【０００６】  上記目的を達成するための本発明の構成を請求項１に基づいて説明すれぼ、図１は、本座薬挿入本体の断面図、図２は、一般的な座薬とその密封状態の説明図、図３は、座薬挿入初頭時を示す説明図、図４は、座薬挿入終了時を示す説明図である。【０００７】  通常この座薬につき説明すれば、この座薬は、当該多数の業者によっても調剤製造販売されているため、各業者及びその薬効目的等により、相当にその座薬の大小、形態に差異が生じているのが当然でもあるといえる。【０００８】  上記の実状があるので、この座薬を抱嵌支承するための穿孔を設けた挿入本体部においても、これら座薬の大小形態差異等に各個対応させることは該部具の製作市販等の費用も高くなりのぞむところではない。【０００９】  このため本発明では、極端に大小形態に差異があれば別として、許容範囲内における大小、形態差異の座薬であれば、一個の座薬挿入具と同押し込み棒で対応できるようにしたものである。【００１０】  上記の目的を達成するための構成を、実施の形態に対応する図面に基づいて説明すると請求項１に記載の発明は、図２に示す座薬４を抱嵌支承する穿孔２を設けた、適度に硬質又は軟質、及び硬軟組み合わせの部材を用いた、樹脂、ゴム、スポンジ等からなる構成の座薬挿入本体１からなり、この座薬挿入本体１の中心部長手方向に、図３、４で示す押し込み棒３を挿入通行させるための長孔２ａを上記穿孔２に連通して設けたことを特徴とする座薬挿入具を提供することである。
【発明の効果】
【００１１】  本請求項１に記載の発明によれば、挿入本体１の穿孔２に抱嵌支承させた座薬４の頭部を肛門５に当てがい、該挿入本体１の長孔２ａを通って穿孔２に抱嵌支承させた、同座薬４の下部から押し込み棒３を図３、４で示す矢印方向に押し込み同座薬４が肛門内の活躍筋により外部に押し戻されない深さまで押し込み挿入が終了する。【００１２】  更に本発明は、挿入本体１と押し込み棒３からの構成で部品点数が少ないから製作費が小額ですみ、特に一錠ずつ密封袋に封入されている市販の座薬４を挿入するのに適しており、押し込み棒３ついては、安価で使い捨てにされている市販の通称、綿棒の利用も可能で経済、衛生的である。
【発明を実施するための最良の形態】
【００１３】  図１は、本発明実施の一形態である座薬挿入本体を示す断面図、図２は、一般に市販されている座薬が薄アルミシート等で密封されている包装例の説明図、図３は、座薬挿入初頭時の説明図、図４は、座薬挿入終了時の説明図である。【００１４】  本発明は、上記のとおりその構成が至極簡単で挿入本体１と押し込み棒３のみで成り、取り扱いは、初心者でも簡単容易でその挿入が終了すれば、全体を肛門５から離間させて押し込み棒３を適宜に手指を汚染させない要領で処理すれば、挿入施行者が全くに肛門５に触れなくてすみ至極経済的、衛生的であるといえる。【００１５】  更に、本発明実施の要領について説明すれば、座薬４の挿入には、座薬挿入本体１の座薬４の抱嵌用穿孔２に抱嵌された同座薬４の頭部を肛門５に当接、押し込み棒３を図３，４で示す矢印方向に通行移動させ、座薬４の下方からこれを肛門５内に挿入する。【００１６】  上記のように挿入された座薬４は、肛門５内で、その活躍筋により外部に押し戻されないように適度の深さまでこれを挿入してこの挿入が終了する。【００１７】  上記で示すように本発明の構成は簡単至極で安価にできるにもかかわらず、取り扱いも座薬４の挿入者本人自身及び第三者による実施も容易であり優れた発明といえる。
【図面の簡単な説明】
【００１８】
【図１】  本発明の実施の一形態である座薬挿入具を示す全体断面図である。
【図２】  一般市販の座薬が薄アルミシート等で密封された包装例の説明図である。
【図３】  座薬挿入初頭時の説明図である。
【図４】  座薬挿入終了時の説明図である。
【符号の説明】
【００１９】    １        座薬挿入本体。
２        同上座薬挿入本体に設けた座薬抱嵌穿孔。
２ａ      押し込み棒を通行移動させる長孔。
３        押し込み棒。
４        座薬。
４ａ      座薬密封薄アルミシートからなる包装例。
５        肛門。
【図１】
2010069263.tif 000003
【図２】
2010069263.tif 000004
【図３】
2010069263.tif 000005
【図４】
2010069263.tif 000006
(57)【要約】      （修正有）【課題】こたつ使用時に、こたつふとんに取り付ける使い捨て可能なピース式のこたつふとんカバーを提供する。【解決手段】こたつふとんの汚れを防ぐためのピース式の使い捨てできるこたつふとんカバーで、まずこたつふとんを清潔に保ち、こたつ使用時に清潔なこたつ環境をいつでも提供できる。こたつ各辺のこたつふとん表面に、ピース式の使い捨て出来るこたつふとんカバーを取り付ける。１枚布のこたつふとんカバーと異なるのは、こたつ各辺に合わせたピース式に分けたカバーなのでピース式の使い捨て出来るこたつふとんカバーが汚れた際は、汚れたピースのみを都度取り外し、新たに清潔なカバーを取り付ければ、清潔なこたつ環境をいつでも保つことが出来る。ピース式のこたつふとんカバー裏面には着脱自在のテープを施すので、どんな種類のこたつふとんの表面にも対応でき、装着のために特別な装置をも必要としない。【選択図】図１
2010069269.tif 000002
【特許請求の範囲】
【請求項１】
こたつ使用時に、こたつ布団に取り付けるピース式の使い捨て出来るこたつふとんカバー
【発明の詳細な説明】
【技術分野】
【０００１】  本考案はこたつ使用時に、こたつふとんの表面上に、こたつの各辺に使い捨て可能なピース式カバーをとりつけることにより、こたつふとんを汚れから守る。こたつふとん各辺に取り付けたピース式のカバーであることで、カバー表面を汚した場合、汚れたピースのみを取り外し、新たに清潔なピースを簡便にこたつふとんにとりつけることが出来る。こうすることで、こたつふとんそのものを汚れから守ることが出来、従来分厚いふとんに染み付いた汚れは落とすことが非常に難しく、洗浄も楽な仕事ではなかったが、本考案のピース式の使い捨て出来るこたつふとんカバーを使うことで、こたつふとんの表面、分厚い内部をいつも清潔に保つことができる。
ピース式のこたつふとんカバーは、こたつ各辺のこたつふとん表面上に簡便に取り付けることができるよう、こたつふとんカバー裏面に着脱自在のテープを施している。裏面にテープを施してあることで、こたつふとんそのものに特にカバーを取り付けるための装置を必要とすることなく、どんな種類のこたつふとん表面にも取り付けることが出来、特にこのカバーに合わせて新たなこたつふとんを準備する必要もないので便利なものである。
【背景技術】
【０００２】  こたつふとん表面上に取り付けるための着脱自在なテープをピース式の使い捨て出来るこたつふとんカバー裏面に施し、こたつ各辺の表面を覆う。
この考案における利点はピース式のこたつふとんカバーを、こたつ各辺のこたつふとん表面に取り付け、こたつふとんを汚れから守る。また、こたつふとんカバーをピース式にしたことで、汚れたら汚れたピースのみを都度取り外し、新たに清潔なピースを簡便に取り付けることが出来る。
従来のこたつふとんのカバーは１枚の布で仕立てたおおがかりなもので、こたつふとんそのものを洗うよりは簡便に洗浄できたものの、やはり洗浄には多くの労力を要し、乾燥する際は大きな場所を占有することが多かった。本考案のピース式の使い捨て出来るこたつふとんカバーでは、ピースに分かれたこたつふとんカバーなので、汚れたピースのみを簡便に取り外し、洗浄または使い捨てが出来、新たに清潔なピースをこたつふとん表面に取り付けるので、おおがかりな洗浄、乾燥などの作業も必要なくなる。特に、洗浄した後の乾燥も素早く、場所をとらないので便利である。
【発明の開示】
【発明が解決しようとす課題】
【０００３】  こたつふとんのみでこたつを使用すると、時が経つにつれ、表面の汚れだけでなく、汚れが分厚いこたつふとんの内部にまでしみ込み、あまり清潔な環境であるとは言えなかった。分厚く大きなこたつふとんを家庭で洗浄することは困難で、ドライクリーニングなどに頼る他なく、その場合は水洗いで得られる清潔感、爽快感などを得ることは出来なかった。ここに従来の１枚の布で仕立てたこたつふとんカバーをかけることで、分厚いこたつふとんの清潔さを守り、分厚いふとんを洗浄するよりかははるかにに洗浄も楽で、こたつふとんのみを使用するよりかは清潔なこたつ環境を保つことが出来た。
本考案では、こうした従来のこたつふとんカバーの役割をさらに大きく飛躍させ、カバー自体をピース式にして分け、裏面には着脱自在なテープを施す。こたつ各辺のこたつふとん表面上に直接裏面の着脱自在なテープを使ってピース式のこたつふとんカバーをとりつけ、汚れたら都度汚れたピースのみを取り外し、洗浄または使い捨てをし、清潔なピースを新たに取り付ける。汚れたピースを都度取り替えていくことで、清潔なこたつ環境をいつも保つことが出来、ピース式の使い捨て出来るこたつふとんカバーを覆ったこたつふとんの表面、分厚い内部はいつも清潔に保つことができる。
ピース式の使い捨て出来るこたつふとんカバーの洗浄も非常に楽な仕事となる。従来の１枚布で仕立てたこたつカバーとは異なり、ピース式の比較的小型なカバーなので、簡単に洗浄が出来、乾燥も素早く、乾燥時に大きな場所を占めることもない。また、消耗が顕著に進めば、使い捨ても可能である。
【課題を解決するための手段】
【０００４】  本考案はピース式の使い捨て出来るこたつふとんカバーで、こたつ各辺のこたつふとん表面上に直接とりつけ、汚れたら都度取り外す。ピース式使い捨て出来るこたつふとんカバー裏面には着脱自在のテープを施し、どんな種類のこたつふとん表面にも対応するものである。
【発明の効果】
【０００５】  ピース式の使い捨て出来るこたつふとんカバーなので、汚れたピースを都度清潔なピースに取り替えることが出来、こたつふとんの表面、分厚い内部に汚れが至ることがない。こたつ使用時には常に清潔なこたつ環境を保つことが出来る。
ピース式の使い捨て出来るこたつふとんカバーなので、清浄も簡単で、乾燥も素早く、場所をとることもない。
着脱自在のテープをピース式使い捨て出来るこたつふとんカバー裏面に施しているため、毎回の取り付け外しは非常に簡便に済み、こたつふとんに装着すための特別な装置を必要とすることなく、どんな種類のこたつふとん表面にも対応出来るものである。ピース式の使い捨て出来るこたつふとんカバーを使用するには、手持ちのこたつふとんで十分対応出来るので、ピース式使い捨て出来るこたつふとんカバーのために新しいこたつふとんを準備する必要はない。
【発明の実施するための最良の形態】
【０００６】  以下、本発明の実施の形態を図に基づいて説明する。
【図面の簡単な説明】
【０００７】
【図１】ピース式の使い捨て出来るこたつふとんカバーを使用した際の全体図
【図２】ピース式の使い捨て出来るこたつふとんカバーの表、裏面の図
【符号の説明】
【０００８】  ［図１］ピース式使い捨て出来るこたつふとんカバーを使用した際の全体図
１  ピース式使い捨て出来るこたつふとんカバー
２  こたつテーブルトップ
３  こたつふとん
４  座布団
［図２］ピース式の使い捨て出来るこたつふとんカバーの表、裏面の図
１  ピース式の使い捨て出来るこたつふとんカバーの裏面、着脱自在テープ
【図１】
2010069269.tif 000003
【図２】
2010069269.tif 000004
(57)【要約】      （修正有）【課題】水虫の治療効果にすぐれ足蒸れ発生を防止するとともに悪臭水虫の発生を防止する方法を提供する。【解決手段】通気性の良い綿やレースの素材で出来た靴下の指先部分をカットして親指と人差し指部分１のみズレ防止のために縫い合わせ先の方を綴じ合せ一目ゴムにした靴下である。指先の通気性をよくすることで清浄化することが出来、足全体の血流を促す。【選択図】図１
2010069268.tif 000002
【特許請求の範囲】
【請求項１】
綿やレースの通気性の良い靴下をカットして指先を清潔に保ち、かつズレ防止のため親指部分と人差し指部分の股を縫い合わせた靴下。
【発明の詳細な説明】
【技術分野】
【０００１】本発明は水虫を治療する靴下に関する。
【背景技術】
【０００２】従来の靴下は水虫の発生させやすい環境を作りやすいものである。
【特許文献１】特になし
【非特許文献１】特になし
【発明の開示】
【発明が解決しようとする課題】
【０００３】従来の靴下では蒸れやすく水虫を治りにくい環境を作っていたと思われる。【０００４】本発明は従来薬を塗って靴下をはき指全体に覆うのではなく、開放することにより通気性をよくして清潔を保つものである。
【課題を解決するための手段】
【０００５】本発明は上記目的を達成するために靴下の指先部分をカットして通気性をよくして足全体の血流を促し、さらにズレ防止の為に親指と人差し指の間を縫い合わせたものである。
【発明の効果】
【０００６】従来の靴下では足が膨らみ水虫の治りも悪かった。しかしながら上述した本発明の靴下で直すことが出来た。よって、この靴下は水虫に効果があると思われる。【０００７】指がないため、靴を履いた時に窮屈感がない。
【発明の実施するための最良の形態】
【０００８】以下、本発明の実施の形態を図１に基づいて説明する。
【０００９】親指と人差し指の間をズレ防止のために縫い合わせる。
【実施例】
【００１０】通常の靴下では水虫は悪化傾向にあったと思われる。本発明を実施することによって完治出来、さらに皮膚の状態も良好である。
【産業上の利用可能性】
【００１１】本発明はマニュキュアを塗る際にも利用できる。【００１２】綿靴下で足首を短くすると夜用のかかと靴下として利用できる。
【図面の簡単な説明】
【００１３】
【図１】本発明の実施形態を示す足の平面図。
【符号の説明】
【００１３】
【図１】
2010069268.tif 000003
(57)【要約】【課題】００３】従来の温泉浴方法では体全体を湯に浸す為に体全体がすぐに温まり温熱効果を必要な部位だけに長時間にわたっては利用出来なかった不具合を解決する事を課題とした。また入浴に適さない為に、今までは患部には適した必要な温度のお湯の利用は出来なかった。【解決手段】この課題を解決するために請求項１の発明は壺面の一部に人体に合わせて凹部を設けた事を特徴とする、患部にだけ直接湯が当たるようにした器具である。  この器具により温泉の湯を直接患部だけに長時間連続して当てる事が出来る。またお湯の温度を調節できる様にする。【選択図】図２
2010069272.tif 000002
【特許請求の範囲】
【請求項１】
壺面の一部に凹面を設け、壺の上部から湧き出る湯の温熱を利用して人体の首、肩、腕、腰、  背中、腹部、脚部、足裏等の一部だけに湯が当たる様にした壺。
【請求項２】
壁面の一部に凹面を設け、その上部に湯の湧出させて温熱を利用して人体の首、肩、腕、腰、  背中、腹部、脚部、足裏等の一部だけに湯が当たる様にしたもの。
【請求項３】
本発明の壺より湧出するお湯の温度を変えられる様にしたもの。
【発明の詳細な説明】
【技術分野】
【００１】本考案は温泉の湯を利用した健康器具に関したものであり湧き出る壺の面に工夫を加える事により体の一部にだけお湯が当たるようにしたものである。
【背景技術】
【００２】従来は温泉の入浴方法として全身浴、半身浴、足湯を行っていた。
【考案が解決しようとする課題】
【００３】従来の温泉浴方法では体全体を湯に浸す為に体全体がすぐに温まり温熱効果を必要な部位だけに長時間にわたっては利用出来なかった不具合を解決する事を課題とした。また患部には適した温度のお湯でも入浴に適さない温度域の利用は出来なかった。
【考案が解決しようとする手段】
【００４】この課題を解決するために請求項１の発明は壺面の一部に人体に合わせて凹部を設けた事を特徴とする、患部にだけ直接湯が当たるようにした器具である。  この器具により温泉の湯を直接患部だけに長時間連続して当てる事が出来る。またお湯の温度を調節できる様にする。
【考案の効果】
【０００５】よって本考案の器具により直接患部だけに湯を当てられるので、温度を高く設定して短時間で集中的に温浴効果を得ることも出来る。また温度を患部だけに当てるので体全体が熱で温まりにくいので長時間の温浴ができる。温度を変えられるので入浴に適さない様な高い温度や低い温度でも出来るので、より一層の温熱効果が得られる。
【発明を実施するための最良の形態】
【０００６】  図１に示すように湯が湧出する為の上部の穴からなる。そして外面には足や肩や腰等の形状にに合わせた窪みが形成されている事を特徴とする、壺の凹面に合わせて体を固定すればその部位だけに沿って湯が流れ温浴効果を増加させる。【０００７】図２では凸部を設ける面を平面の壁状にし、図２に示すように湯が湧出する為の上部の穴からなる事を特徴とする温浴器具である。これにより壁等の面に取り付けられるので面積の狭い場所でも取り付けが可能である。【０００８】これらの材料は陶磁器でも良いし、ステンレス等の金属や、グラスファイバー等の樹脂材料や石材や木材等何を利用しても良い。壁は平面でも、球面でも良い【０００９】本発明に係わる温浴器具は工業的に量産する事は可能であるため、産業上の利用可能性を有する。
【図面の簡単な説明】
【０００９】
【図１】足の先端部に湯が当たる様にした壺の断面図。
【図２】足の土踏まずに湯が当たる様にした壺の断面図
【図３】足のかかとに湯が当たる様にした壺の断面図
【図４】壁の上部から足の一部に湯が当たる様にした壺の断面図
【図５】［従来の温浴方法］半身浴
【図６】全身浴
【図７】足湯
【符号の説明】
１      壺本体
２      湧き出るお湯
３      床
４      足の先端部に湯を当てる為の凹部の部分
５      足
６      足の土踏まず部に湯を当てる為の凹部の部分
７      足のかかと部に湯を当てている凹部の部分
８      溜まっているお湯
【図１】
2010069272.tif 000003
【図２】
2010069272.tif 000004
【図３】
2010069272.tif 000005
【図４】
2010069272.tif 000006
【図５】
2010069272.tif 000007
【図６】
2010069272.tif 000008
【図７】
2010069272.tif 000009
(57)【要約】      （修正有）【課題】家庭の浴槽・会社のシャワーなど、どこでも温泉気分を楽しめる温泉タオルを提供する。【解決手段】３０℃〜６０℃のお湯に、ゼラチン等を一定量溶かし、その液体に湯の花・入浴剤等を一定量混ぜ合わせて混合入浴剤を作り、前記混合入浴剤に食紅などで着色をし、タオルに前記混合入浴剤をよく染み込ませた上で、しっかり乾燥させ、さらに、濃い目の混合入浴剤を用いて、文字・絵等をプリントした。【選択図】図１
2010069273.tif 000002
【特許請求の範囲】
【請求項１】
ゼラチン等の凝固剤と、湯の花等の入浴剤を混合した混合入浴剤を用いて、タオルに染み込ませたり、文字・絵等をプリントしたことを特徴とする温泉タオル。
【発明の詳細な説明】
【技術分野】
【０００１】  本発明は、家庭の浴槽・会社のシャワーなど、どこでも温泉気分を楽しめる温泉タオルに関するものである。
【背景技術】
【０００２】  従来、タオルと入浴剤は別々のものであり、シャワー時には入浴剤を利用しませんでした。
また、企業は自社の名前を入れたタオルを配ってきました。
なお、タオルに石鹸・シャンプー等を含ませたもの（特許文献１参照）や、タオルを炭で染めて脱臭性・抗菌性に優れたものもある（特許文献２参照）。
【特許文献１】  実開平６−７５９４
【特許文献２】  特開２００４−１６９１９２
【発明の開示】
【発明が解決しようとする課題】
【０００３】  シャワー時には、入浴剤を使うすべはなく、また企業は有り来たりのタオルを配っていた。
本発明は、これらの問題点を解決するためになされたものである。
【課題を解決するための手段】
【０００４】  ゼラチン等の凝固剤と、湯の花等の入浴剤を混合した混合入浴剤を用いて、タオルに染み込ませたり、文字・絵等をプリントする。
以上の構成よりなる温泉タオル。
【発明の効果】
【０００５】（イ）従来使えなかったシャワー時での入浴剤の使用や、インパクトのある企業タオルや、温泉観光地での手軽なおみやげなどに利用できます。
（ロ）湯の花・入浴剤・ゼラチン等に含まれる成分により、保温効果・美肌効果・リラックス効果等が得られる。
【発明を実施するための最良の形態】
【０００６】  以下、本発明の実施の形態を説明する。
（イ）３０℃〜６０℃のお湯に、ゼラチン・等を一定量溶かし、その液体に湯の花・入浴剤等を一定量混ぜ合わせて混合入浴剤（２）を作る。
（ロ）必要があれば、混合入浴剤（２）に食紅などで着色する。
（ハ）タオル（１）に混合入浴剤（２）をよく染み込ませた上で、しっかり乾燥させる。
（ニ）好みに応じて、濃い目の混合入浴剤（２）を用いて、文字・絵等のプリント（３）を付ける。
本発明は、以上のような構造である。
本発明を使用するときは、そのまま浴槽に入れて、もしくはシャワーを浴びながら使用することによって、入浴剤が溶け出し、温泉気分を楽しむ。その後は普通のタオルにする。
【図面の簡単な説明】
【０００７】
【図１】  本発明の斜視図
【符号の説明】
【０００８】  １  タオル、
２  混合入浴剤
３  プリント
【図１】
2010069273.tif 000003
(57)【要約】【課題】従来の簡易ベッドは、金属製であるため、重量が重く、コストが高い。それゆえ、大量調達が難しく、災害等により多数の被災者が発生した場合、速やかに対応することが困難である。本発明はこのような点に鑑みなされたもので、災害発生時等に速やかに対応可能な簡易ベッドを提供することにある。【解決手段】一体で形成された側面壁内に、それよりもやや大径の折り畳み可能に連結され且つ前記側面壁を折り畳んだ状態で収納可能な着床部を、展開して挿入することにより、ベッドを構成し、着床部は断熱層及び収納スペース、また、側面壁はプライバシー保護のパーテーションとして機能することを特徴とする。【選択図】図１
2010069276.tif 000002
【特許請求の範囲】
【請求項１】
一体で形成された側面壁内に、それよりもやや大径の折り畳み可能に連結され且つ前記側面壁を折り畳んだ状態で収納可能な着床部を、展開して挿入することにより、ベッドを構成し、着床部は断熱層及び収納スペース、また、側面壁はプライバシー保護のパーテーションとして機能することを特徴とするダンボール製簡易ベッド。
【発明の詳細な説明】
【技術分野】
【０００１】本発明は、簡易ベッドに係り、ダンボールを使用して、軽量且つ、コンパクトで持ち運び易く、多くの保管スペースも必要とせず、使用時には簡単な作業によって組み立てることができ、災害時等に速やかに対応できるように工夫したものに関する。
【背景技術】
【０００２】従来技術において、軽量で、折り畳み、組み立てが可能な簡易ベッドとしては金属製のものが一般的である。【０００３】
【特許文献１】特開２００３−２２５１４２
【発明の開示】
【発明が解決しようとする課題】
【０００４】従来の簡易ベッドは、金属製であるため、重量が重く、コストが高い。
それゆえ、大量調達が難しく、災害等により多数の被災者が発生した場合、速やかに対応することが困難である。【０００５】本発明はこのような点に鑑みなされたもので、災害発生時等に速やかに対応可能な簡易ベッドを提供することにある。
【課題を解決するための手段】
【０００６】上記目的を達成する為に、本考案が講じた技術的手段は次のとおりである。
一体で形成された側面壁内に、それよりもやや大径の折り畳み可能に連結され且つ前記側面壁を折り畳んだ状態で収納可能な着床部を、展開して挿入することにより、ベッドを構成し、着床部は断熱層及び収納スペース、また、側面壁はプライバシー保護のパーテーションとして機能することを特徴としている。
【発明の効果】
【０００７】ダンボール紙を使用しているので、収納時には非常にコンパクトかつ軽量で容易に持ち運ぶことができる。【０００８】展開時に耐久性構造をもち、ベッドとして使用可能である。【０００９】側面壁がプライバシーを確保し、被災者等の心理的ストレスを軽減することができる。【００１０】また使用後の撤去においては、焼却も可能であるし、再度折り畳んで簡易ベッドとして再利用も可能であるし、古紙回収へ回し、再生紙としてリサイクル利用することも可能である。【００１１】本発明によれば、簡易な構成で、しかも接着材や工具を使わずに、簡単に組み立てることが出来る簡易ベッドを安価にして大量に提供できるようになる。
【発明を実施するための最良の形態】
【００１２】以下、本実施形態の説明を図により説明する。
図１は本実施形態の簡易ベッドに組み立てる途中の状態を示す斜視図である。【００１３】側面壁１は周囲が一体で形成され、その中にフレーム５で補強された着床部２の側面を合わせた状態で挿入する。その際、着床部２は前記側面壁１よりもやや大径に設定されている為、着床部２と側面壁１は相互に押し合い、融合化される。【００１４】着床部２には、フレーム４及びフレーム５を設けている。
図５に示すようにフレーム５の側面には、帯状補強材３の一部分のみが接着材等で固定されていて、側面壁１の収納時には収納スペースを確保する為に平面に折り畳まれている。そして、展開時には図６に示すように、帯状補強材３を中央に引出し、お互いの帯状補強材３に設けられたＵ溝７に嵌合させる。
フレーム４についても、側面壁１の収納時に収納スペースを確保する為に平面に折り畳まれていた状態から起立させる。【００１５】背もたれ６は着床部２にテープ等によるヒンジ８形状で可動式に固定されており、展開時には側面壁１にマジックテープ１０等で固定される。【００１６】図８に示すように、背もたれ６の内部には、帯状補強材３を円状に形成したものを複数本入れている。それゆえ、人が着座状態で、背もたれ６に寄り掛かっても倒れない。【００１７】図２は本実施形態の簡易ベッドの概観斜視図である。
側面壁１の背もたれ６側は、人が着座した状態では周囲が見えない高さがあり、パーテーションとしての役目を有している。それとは反対側、つまり人が着座した時の足元付近においては、着座する際に邪魔にならないぐらいの高さとし、それらの間の側面壁１の高さは滑らかに変位しスマートなデザインと両立させている。【００１８】図９に示すように、帯状補強材３とフレーム４及びフレーム５は、ダンボールセル９を荷重の掛かる方向と平行に設置することで荷重を分散させる。【００１９】前述のとおり、側面壁１はパーテーションとしての役目を有しており、それによりプライバシーを保持することが出来る。【００２０】着床部２に設置したフレーム４及びフレーム５と帯状補強材３には、空気層が形成され、施設の床からの冷熱を遮断することが出来る。【００２１】また、フレーム４及びフレーム５と帯状補強材３の空間スペースには、貴重品等を収納しておける。【００２２】本実施形態の簡易ベッドの材料は、ほとんどがダンボールである。【００２３】このように組立てには工具や接着剤を必要とせず容易に組立てが可能である。
【図面の簡単な説明】
【図１】本実施形態の簡易ベッドに組み立てる途中の状態を示す斜視図
【図２】本実施形態の簡易ベッドの概観斜視図
【図３】折り畳み状態を示す斜視図
【図４】組み立て後の着床部を床への接地面側から見た斜視図
【図５】折り畳み状態の帯状補強材を示す斜視図
【図６】帯状補強材のＵ溝による嵌合を示す斜視図
【図７】フレーム４の展開を示す斜視図
【図８】背もたれ部の内部構造を示す一部を切り欠いた斜視図
【図９】ダンボールセルの配置を示す斜視図
【符号の説明】
１  側面壁
２  着床部
３  帯状補強材
４  フレーム
５  フレーム
６  背もたれ部
７  Ｕ溝
８  ヒンジ
９  ダンボールセル
１０マジックテープ
【図１】
2010069276.tif 000003
【図２】
2010069276.tif 000004
【図３】
2010069276.tif 000005
【図４】
2010069276.tif 000006
【図５】
2010069276.tif 000007
【図６】
2010069276.tif 000008
【図７】
2010069276.tif 000009
【図８】
2010069276.tif 000010
【図９】
2010069276.tif 000011
(57)【要約】【課題】  従来のプレカット加工装置では、柱短材は手作業で木口加工及び４面加工を行うために非常に手間がかかるという問題があった。【解決手段】  入力装置１は長尺の柱材の長さデータ及び異なった柱短材の長さデータを入力すると、制御装置２は長尺の柱材から最大限に加工できる柱短材の位置を設定してメモリ３で記憶すとともに、メモリ３には、長さの異なる柱短材の４面に加工されるほぞや穴の位置データが記憶され、又、制御装置２の出力側に搬送装置４，４面を加工する横加工機５，反転装置６，切断装置７、先端の木口加工装置８及び後端の木口加工装置９が接続されている。【選択図】図１
2010069809.tif 000002
【特許請求の範囲】
【請求項１】
長尺の柱材の長さデータと複数の柱短材の長さデータを入力する入力部と、入力された柱材の長さデータから複数の柱短材が切断される位置を設定する制御部と、該制御部からのデータと加工データを記憶する記憶部と、該記憶部から読み出されたデータにより搬送装置によって送られた前記長尺の柱材が柱短材に切断された時にそれぞれの位置の４面を加工する横加工機と、前記長尺の柱材からそれぞれの柱短材を１つずつ切断する切断装置と、切断された柱短材の両木口を加工する木口加工装置とからなり、前記柱材のそれぞれの柱短材に対応する位置の４面を加工した後、順次１つずつ切断して両端の木口加工を施し、順次全ての柱短材を加工することを特徴とする柱短材結合加工装置。
【発明の詳細な説明】
【技術分野】
【０００１】
本発明は、長尺の柱材の４面を加工して複数の柱短材を順次加工する柱短材結合加工装置に関するものである。
【背景技術】
【０００２】
一般に、柱短材を加工するには、手作業で長尺の柱材をそれぞれの柱短材に切断し、この柱短材の両端に木口加工を施し、さらに、この柱短材の４面加工を行っている。
【０００３】
しかしながら、このように柱短材を手作業で加工することは非常に手間がかかり、この柱短材を自動加工することができないという問題があった。
【特許文献１】特開２００２−３１６３０５号公報
【発明の開示】
【発明が解決しようとする課題】
【０００４】
解決しようとする問題点は、従来のプレカット加工装置では、柱短材は手作業で木口加工及び４面加工を行うために非常に手間がかかるという問題があった。
【課題を解決するための手段】
【０００５】
本発明は、長尺の柱材の長さデータと複数の柱短材の長さデータを入力する入力部と、入力された柱材の長さデータから複数の柱短材が切断される位置を設定する制御部と、該制御部からのデータと加工データを記憶する記憶部と、該記憶部から読み出されたデータにより搬送装置によって送られた前記長尺の柱材が柱短材に切断された時にそれぞれの位置の４面を加工する横加工機と、前記長尺の柱材からそれぞれの柱短材を１つずつ切断する切断装置と、切断された柱短材の両木口を加工する木口加工装置とからなり、前記柱材から全ての柱短材を加工するものである。
【発明の効果】
【０００６】
本発明では、入力装置により長尺の柱材の長さデータと柱短材の長さデータを制御装置に入力することにより、搬送されてきた長尺の柱材から異なった長さの柱短材が最大限切断できる数値を演算し、演算された数値に従ってそれぞれの柱短材が切断される部分にそれぞれ４面加工を施こした後にそれぞれの柱短材に切断し、両端に木口加工を施し、さらに、次の柱短材を切断して両端の木口加工を施すことにより、簡単に多数の柱短材を加工することができるという利点がある。
【発明を実施するための最良の形態】
【０００７】
本発明では、入力装置により長尺の柱材の長さデータと柱短材の長さデータを入力して、長尺の柱材から柱短材が最大限加工できるように制御装置で演算して、メモリに記憶し、搬送装置で搬送された長尺の柱材を柱短材に加工した場合のそれぞれ４面にまとめて孔開けやほぞ加工を施した後、加工された長尺の柱材を端部から１つ柱短材を切断して両端に木口加工を施し、次に、又１つの柱短材を切断した後、木口加工を施すというように、長尺の柱材から柱短材を順次加工するものである。
【実施例】
【０００８】
図１は本発明の実施例の柱短材結合加工装置のブロック図で、入力装置１は長尺の柱材の長さデータ及び異なった柱短材の長さデータを入力すると、制御装置２は長尺の柱材から最大限に加工できる柱短材の位置を設定してメモリ３で記憶すとともに、メモリ３には、長さの異なる柱短材の４面に加工されるほぞや穴の位置データが記憶され、又、制御装置２の出力側に搬送装置４，４面を加工する横加工機５，反転装置６，切断装置７、先端の木口加工装置８及び後端の木口加工装置９が接続されている。
【０００９】
このように構成された本発明の柱短材結合加工装置では、図２に示すように、搬送装置４から長尺の柱材１０が搬送されると、長尺の柱材１０がそれぞれの短柱材１１ａ、１１ｂ、１１ｃ、・・・の位置の側面に対応した穴やほぞ１２ａ、１２ｂ、１２ｃ、・・・を横加工機５で加工し、全て加工が終了すると、反転装置６で９０度反転して、更に、加工していない側面を横加工機５で加工し、加工が終了すると、搬送装置４で長尺の柱材１０を移動し、木口加工装置８で長尺の柱材１０の先端を木口加工した後、丸鋸のような切断装置７で短柱材１１ａを切断し、搬送装置４で切断された短柱材１１ａを木口加工装置９に移動して後端の木口を加工し、この加工が終了すると、残りの柱材１０を搬送装置４で移動して、残りの柱材１０の先端の木口加工を施し、その後、短柱材１１ｂを切断して、短柱材１１ｂの後短の木口加工を施すというように、順次短柱材１１ａ、１１ｂ、１１ｃ・・・を加工する。
【００１０】
このように構成された本発明の柱短材結合加工装置では、長尺の柱材の４面に先にほぞや穴を加工した後、複数の柱短材を切断して木口を加工するようにしたので、先に柱短材を切断して加工するより非常に効率がよいという効果がある。
【産業上の利用可能性】
【００１１】
なお、上記実施例の柱短材結合加工装置は柱短材ばかりでなく、長い部材から短い部材を多数作成する場合にも使用することができる。
【図面の簡単な説明】
【００１２】
【図１】図１は本発明の実施例の柱短材結合加工装置のブロック図である。
【図２】図２は長尺の柱短材の平面図である。
【符号の説明】
【００１３】
１        入力装置
２        制御装置
３        メモリ
４        搬送装置
５        横加工機
６        反転装置
７        切断装置
８        先端の木口加工装置
９        後端の木口加工装置
【図１】
2010069809.tif 000003
【図２】
2010069809.tif 000004
(57)【要約】【課題】  初期立上げ時にダイヤフラムの他面側に溜まっている凝縮水を排除してダイヤフラムの他面側が弁口の二次側よりも高圧になることを防止することにより、初期立上げ時間を短縮できる蒸気用減圧弁を提供する。【解決手段】  一面に圧力設定ばね２３の弾性力を作用させ他面に弁口５の二次側から連通する二次圧検出通路からの二次側圧力を作用させたダイヤフラム２１の撓みで主弁６を制御して弁口５を開閉せしめる蒸気用減圧弁において、二次圧検出通路を第１二次圧検出通路３３と第２二次圧検出通路３４により形成し、第１二次圧検出通路３３の弁口側開口端を第２二次圧検出通路３４の弁口側開口端よりも弁口５に近い位置に形成する。【選択図】      図１
2010186439.tif 000002
【特許請求の範囲】
【請求項１】
一面に圧力設定ばねの弾性力を作用させ他面に弁口の二次側から連通する二次圧検出通路からの二次側圧力を作用させたダイヤフラムの撓みで主弁を制御して弁口を開閉せしめる蒸気用減圧弁において、二次圧検出通路を第１二次圧検出通路と第２二次圧検出通路により形成し、第１二次圧検出通路の弁口側開口端を第２二次圧検出通路の弁口側開口端よりも弁口に近い位置に形成したことを特徴とする蒸気用減圧弁。
【発明の詳細な説明】
【技術分野】
【０００１】
本発明は、蒸気配管系に取り付けて、弁の出口側すなわち弁の二次側の流体圧力を一定の設定圧力に保つ蒸気用減圧弁に関する。
【背景技術】
【０００２】
従来の蒸気用減圧弁は、例えば特許文献１に開示されている。これは、一面に圧力設定ばねの弾性力を作用させ他面に弁口の二次側から連通する二次圧検出通路からの二次側圧力を作用させたダイヤフラムの撓みで主弁を制御して弁口を開閉せしめることにより弁の二次側の流体圧力を一定の設定圧力に保つものである。
【先行技術文献】
【特許文献】
【０００３】
【特許文献１】実開平５−８６２３号公報
【発明の概要】
【発明が解決しようとする課題】
【０００４】
上記従来の蒸気用減圧弁は、初期立上げに時間が掛かる問題があった。これは、休止時にダイヤフラムの他面側に溜まっている凝縮水が通気初めの一次側の蒸気により加熱されて蒸発するために、ダイヤフラムの他面側が弁口の二次側よりも高圧になり、弁の二次側の流体圧力が設定圧力に達する前に主弁が弁口を閉止してしまうためである。
【０００５】
したがって本発明が解決しようとする課題は、初期立上げ時にダイヤフラムの他面側に溜まっている凝縮水を排除してダイヤフラムの他面側が弁口の二次側よりも高圧になることを防止することにより、初期立上げ時間を短縮できる蒸気用減圧弁を提供することである。
【課題を解決するための手段】
【０００６】
上記の課題を解決するために、本発明の蒸気用減圧弁は、一面に圧力設定ばねの弾性力を作用させ他面に弁口の二次側から連通する二次圧検出通路からの二次側圧力を作用させたダイヤフラムの撓みで主弁を制御して弁口を開閉せしめる蒸気用減圧弁において、二次圧検出通路を第１二次圧検出通路と第２二次圧検出通路により形成し、第１二次圧検出通路の弁口側開口端を第２二次圧検出通路の弁口側開口端よりも弁口に近い位置に形成したことを特徴とするものである。
【発明の効果】
【０００７】
本発明によれば、二次圧検出通路を第１二次圧検出通路と第２二次圧検出通路により形成し、第１二次圧検出通路の弁口側開口端を第２二次圧検出通路の弁口側開口端よりも弁口に近い位置に形成したことにより、弁口の二次側圧力をダイヤフラムの他面側に第１二次圧検出通路を通して供給し、初期立上げ時にダイヤフラムの他面側に溜まっている凝縮水を弁口の二次側に第２二次圧検出通路を通して排除することができるので、ダイヤフラムの他面側が弁口の二次側よりも高圧になることを防止して初期立上げ時間を短縮できるという効果を奏する。
【図面の簡単な説明】
【０００８】
【図１】本発明の実施の形態に係わる蒸気用減圧弁の断面図である。
【発明を実施するための形態】
【０００９】
以下、本発明の実施の形態について、図1を参照して説明する。弁ケーシング１に入口２と出口３を形成し、弁ケーシング１にねじ結合した弁座部材４に弁口５を形成する。弁口５を開閉する主弁６をコイルバネ１７で閉弁方向に付勢して配置する。主弁６の上端をピストン７の接続棒８と当接させる。ピストン７の上部のピストン室９を連通路１３を介してパイロット弁室１４と接続する。パイロット弁室１４は入口圧連通路３２を介して入口２と接続する。
【００１０】
入口圧連通路３２と連通路１３の間のパイロット弁室１４に入口圧連通路３２と連通路１３とを連通遮断するパイロット弁１２を配置する。パイロット弁１２の上端は受圧応動部としてのダイヤフラム２１の下面中央部に当接する。ダイヤフラム２１の上下動に応じてパイロット弁１２を開閉して入口圧連通路３２と連通路１３とを連通遮断する。ダイヤフラム２１の一面にはダイヤフラム押え２２を介して圧力設定バネ２３の弾性力が作用している。圧力設定バネ２３の上端には鋼球２５を介して圧力調節ねじ２４を取り付ける。ダイヤフラム２１の他面の下面室３０には弁口５の二次側から連通する二次圧検出通路からの二次側圧力が作用している。二次圧検出通路は第１二次圧検出通路３３と第２二次圧検出通路３４により形成する。第１二次圧検出通路３３は第２二次圧検出通路３４内に固定した連結管により形成している。第１二次圧検出通路３３のダイヤフラム２１の下面室３０側の開口端は第２二次圧検出通路３４のダイヤフラム２１の下面室３０側の開口端よりも上方に形成し、第１二次圧検出通路３３の弁口５側開口端は第２二次圧検出通路３４の弁口５側開口端よりも弁口５に近い位置に形成している。
【００１１】
上記の蒸気用減圧弁の動作は次の通りである。出口３側の圧力が圧力設定バネ２３で設定した設定圧力よりも低下すると、圧力設定バネ２３のバネ力によりダイヤフラム２１を介してパイロット弁１２が開弁され、入口２側の高圧流体が連通路３２，１３を通ってピストン７の上面に作用してピストン７が下方へ変位する。ピストン７の変位により主弁６が弁座部材４から離座し弁口５を開口して出口３側に入口２側の高圧流体を補給することにより、出口３側の圧力が設定圧力まで上昇する。初期立上げ時においては、ダイヤフラム２１の他面側の下面室３０に溜まっている凝縮水を弁口５の二次側に第２二次圧検出通路３４を通して排除することができるので、ダイヤフラム２１の他面側が弁口５の二次側よりも高圧になることを防止して初期立上げ時間を短縮できる。設定圧力に達するとダイヤフラム２１を上方へ押し上げる荷重と、圧力設定バネ２３による押し下げ荷重がバランスしてパイロット弁１２が閉弁し、主弁６が弁座部材４に着座して弁口５を閉止する。
【産業上の利用可能性】
【００１２】
本発明は、蒸気配管系に取り付けて、弁の出口側すなわち弁の二次側の流体圧力を一定の設定圧力に保つ蒸気用減圧弁に利用することができる。
【符号の説明】
【００１３】
１  弁ケーシング
２  入口
３  出口
４  弁座部材
５  弁口
６  主弁
７  ピストン
１２  パイロット弁
１７  コイルバネ
２１  ダイヤフラム
２３  圧力設定バネ
２４  圧力調節ねじ
３０  下面室
３３  第１二次圧検出通路
３４  第２二次圧検出通路
【図１】
2010186439.tif 000003